(57)【特許請求の範囲】
【請求項１】
光が入射する反射面を有する板状の反射ミラーをエッチングによって製作する反射ミラー製作方法であって、
単結晶により構成された板状の被エッチング材の両面または片面に膜状のエッチングマスク材をコーティングするコーティング工程と、
前記被エッチング材の両面に前記エッチングマスク材がコーティングされた場合には、前記被エッチングマスク材の両面のうちの少なくとも一方に、四角形より円形に近い平面形状を有するマスクパターンを形成する一方、前記被エッチング材の片面のみに前記エッチングマスク材がコーティングされた場合には、前記被エッチングマスク材の両面のうち、前記エッチングマスク材がコーティングされた面と同じ面に前記マスクパターンを形成するマスクパターン形成工程と、
前記エッチングマスク材がコーティングされた前記被エッチング材を、設定温度のもとに、設定濃度を有するエッチング液に浸漬させてエッチングを実行するウエットエッチング工程と
を含み、それにより、前記反射ミラーをそれの法線方向に投影して得られる投影図形が四角形より円形に近い平面形状を有するように前記反射ミラーを製作し、
前記マスクパターンの平面形状は、概して凸の八角形であるか、または、凸の八角形を基本形状として、その八角形における８個の角部において突出部を有する形状であり、
前記マスクパターンは、一基準線と平行な第１辺とその基準線と直交する第２辺とを有し、前記被エッチング材の（１００）結晶面上において前記第１辺および第２辺が＜１１０＞結晶方向と直交するように前記被エッチング材に対して位置決めされ、
そのマスクパターンの外形線は、そのマスクパターンの中心点において互いに直交する２本の対称中心線によって前記被エッチング材を４つの領域に分割した場合の各領域ごとに、前記被エッチング材の（１００）結晶面に相当する第１部分と、（１１１）結晶面に相当する第２部分とを有する反射ミラー製作方法。
【請求項２】
前記マスクパターンの外形線は、さらに、前記各領域ごとに、前記被エッチング材の（ｎ１１）結晶面（ｎ：２以上の整数）に相当する第３部分を、前記第１部分と第２部分との間に有する請求項１に記載の反射ミラー製作方法。
【請求項３】
前記マスクパターンの外形線は、さらに、前記各領域ごとに、前記被エッチング材の（５２０）結晶面に相当する第４部分を、前記第１部分と第２部分との間に有する請求項１に記載の反射ミラー製作方法。
【請求項４】
前記反射ミラーは、前記反射面に平行な揺動軸線まわりに振動させられることにより、その反射面に入射した光の反射方向を変化させてその光を走査するために使用される請求項１ないし３のいずれかに記載の反射ミラー製作方法。
【請求項５】
前記反射ミラーは、その反射ミラーから前記揺動軸線に沿って延び、少なくともねじり振動が前記揺動軸線まわりに発生させられる板状のばねと共に振動体を構成し、その振動体のうちの少なくとも一部が振動させられることにより、前記反射面に入射した光の反射方向を変化させてその光を走査するために使用される請求項４に記載の反射ミラー製作方法。
【請求項６】
前記エッチング液は、ＫＯＨまたはＴＭＡＨである請求項１ないし５のいずれかに記載の反射ミラー製作方法。
【請求項７】
前記設定濃度は、３５ｗｔ％ないし４５ｗｔ％の範囲内にある請求項６に記載の反射ミラー製作方法。
【請求項８】
前記設定温度は、６０℃ないし８０℃の範囲内にある請求項６または７に記載の反射ミラー製作方法。
【請求項９】
前記マスクパターン形成工程は、前記被エッチング材の両面にそれぞれコーティングされた２個のエッチングマスク材にそれぞれ前記マスクパターンを形成する工程を含む請求項１ないし８のいずれかに記載の反射ミラー製作方法。
【請求項１０】
さらに、前記ウエットエッチングの終了後に、前記被エッチング材から前記エッチングマスク材を剥離する剥離工程を含む請求項１ないし９のいずれかに記載の反射ミラー製作方法。
【請求項１１】
さらに、前記被エッチング材から前記エッチングマスク材が剥離された後に、その被エッチング材の両面のうちの少なくとも片面に反射膜を形成する反射膜形成工程を含む請求項１０に記載の反射ミラー製作方法。
【発明の詳細な説明】
【技術分野】
【０００１】
本発明は、光が入射する反射面を有する板状の反射ミラーをエッチングによって製作する技術に関するものであり、特に、その反射ミラーをウエットエッチングによって製作する技術に関するものである。
【背景技術】
【０００２】
例えば、光によって画像を形成する分野においては、光が入射する反射面を有する板状の反射ミラーが使用される場合がある。この種の反射ミラーは種々の用途に使用される。例えば、この種の反射ミラーの一形式は、前記反射面に平行な揺動軸線まわりに振動させられることにより、その反射面に入射した光の反射方向を変化させてその光を走査するために使用される。
【０００３】
この形式の反射ミラーの一従来例が既に存在する（例えば、特許文献１参照。）。この従来の反射ミラーは、その反射ミラーから前記揺動軸線に沿って延び、少なくともねじり振動が前記揺動軸線まわりに発生させられる板状のばねと共に振動体を構成し、その振動体のうちの少なくとも一部が振動させられることにより、前記反射面に入射した光の反射方向を変化させてその光を走査するために使用される。
【０００４】
この従来の反射ミラーは、特許文献１に開示されているように、反射ミラーの揺動軸線を対称中心線とする四角形を成す平面形状を有するように製作されていた。さらに、この従来の反射ミラーは、エッチングによって製作されていた。エッチングの種類には、ドライエッチングとウエットエッチングとがある。
【特許文献１】特開２００３−５７５８６号公報
【発明の開示】
【発明が解決しようとする課題】
【０００５】
この種の反射ミラーを利用する分野においては、反射ミラーを揺動軸線まわりに揺動させ得る最大揺動速度を高速化することが強く要望される場合がある。具体的には、例えば、この種の反射ミラーを用いて光の走査を行う走査部を備えた画像形成装置においては、画像の解像度を増すために光の走査速度を高速化することが強く要望され、その走査速度の高速化のために反射ミラーの揺動速度の高速化が要望される場合がある。
【０００６】
一方、この種の反射ミラーの最大揺動速度を高速化するためには、反射ミラーの、揺動軸線まわりの慣性モーメントを低減させることが有効である。
【０００７】
しかしながら、ウエットエッチングによって製作された従来の反射ミラーは、前述のように、反射ミラーの揺動軸線を対称中心線とする四角形を成す平面形状を有するように製作されていた。そのため、この従来の反射ミラーを使用せざるを得ない場合には、この従来の反射ミラーと同程度の反射領域を確保するためにそれと同じ横寸法を有する円形の反射ミラーに比較し、反射ミラーの慣性モーメントを低減させることが困難であった。
【０００８】
反射ミラーをドライエッチングによって製作する場合には、ウエットエッチングによって製作する場合より、マスクパターンの微細化が容易で、反射ミラーを任意の形状に高精度で製作することが容易である。しかし、ドライエッチングによる反射ミラーの製作は、多数枚の反射ミラーを製作するために使用される多数枚の被エッチング材に対してエッチングを一括して行うバッチ処理に十分には適していない。そのため、ドライエッチングによる反射ミラーの製作は、反射ミラーの生産効率を高めて生産コストを低減させることに十分には適していない。
【０００９】
以上説明した事情を背景として、本発明は、光が入射する反射面を有する板状の反射ミラーをエッチングによって製作する技術において、その反射ミラーをウエットエッチングによって製作する技術を提供することを課題としてなされたものである。
【課題を解決するための手段】
【００１０】
その課題を解決するために、本発明の第１側面によれば、光が入射する反射面を有する板状の反射ミラーをエッチングによって製作する反射ミラー製作方法であって、単結晶により構成された板状の被エッチング材の両面または片面に膜状のエッチングマスク材をコーティングするコーティング工程と、前記被エッチング材の両面に前記エッチングマスク材がコーティングされた場合には、前記被エッチングマスク材の両面のうちの少なくとも一方に、四角形より円形に近い平面形状を有するマスクパターンを形成する一方、前記被エッチング材の片面のみに前記エッチングマスク材がコーティングされた場合には、前記被エッチングマスク材の両面のうち、前記エッチングマスク材がコーティングされた面と同じ面に前記マスクパターンを形成するマスクパターン形成工程と、前記エッチングマスク材がコーティングされた前記被エッチング材を、設定温度のもとに、設定濃度を有するエッチング液に浸漬させてエッチングを実行するウエットエッチング工程とを含み、それにより、前記反射ミラーをそれの法線方向に投影して得られる投影図形が四角形より円形に近い平面形状を有するように前記反射ミラーを製作し、前記マスクパターンの平面形状は、概して凸の八角形であるか、または、凸の八角形を基本形状として、その八角形における８個の角部において突出部を有する形状であり、前記マスクパターンは、一基準線と平行な第１辺とその基準線と直交する第２辺とを有し、前記被エッチング材の（１００）結晶面上において前記第１辺および第２辺が＜１１０＞結晶方向と直交するように前記被エッチング材に対して位置決めされ、そのマスクパターンの外形線は、そのマスクパターンの中心点において互いに直交する２本の対称中心線によって前記被エッチング材を４つの領域に分割した場合の各領域ごとに、前記被エッチング材の（１００）結晶面に相当する第１部分と、（１１１）結晶面に相当する第２部分とを有する反射ミラー製作方法が提供される。
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【００１１】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈すべきである。
【００１２】
（１）  光が入射する反射面を有する板状の反射ミラーをエッチングによって製作する反射ミラー製作方法であって、
単結晶により構成された板状の被エッチング材の両面のうちの少なくとも一方に膜状のエッチングマスク材をコーティングするコーティング工程と、
前記被エッチング材にコーティングされたエッチングマスク材のうちの少なくとも一方に、四角形より円形に近い平面形状を有するマスクパターンを形成するマスクパターン形成工程と、
前記エッチングマスク材がコーティングされた前記被エッチング材を、設定温度のもとに、設定濃度を有するエッチング液に浸漬させてエッチングを実行するウエットエッチング工程と
を含み、それにより、前記反射ミラーをそれの法線方向に投影して得られる投影図形が四角形より円形に近い平面形状を有するように前記反射ミラーを製作する反射ミラー製作方法。
【００１３】
この方法によれば、反射ミラーをそれの法線方向に投影して得られる投影図形が四角形より円形に近い平面形状を有するように反射ミラーが製作される。したがって、この方法によれば、必要な反射面積を有する円形状の反射領域が最低限要求される反射ミラーにおいて、四角形を投影図形とする反射ミラーより容易に、無駄な反射領域を省略可能となるため、四角形を投影図形とする反射ミラーより軽量で慣性モーメントが小さい反射ミラーが容易に製作される。
【００１４】
さらに、この方法によれば、反射ミラーがドライエッチングによってではなくウエットエッチングによって製作される。したがって、この方法によれば、反射ミラーをドライエッチングによって製作する場合より、高い生産効率で安価に製作することが容易となる。
【００１５】
ところで、反射ミラーをドライエッチングによって製作する場合には、被エッチング材の表面にコーティングされたエッチングマスク材に形成されたマスクパターンと同じ形状を有するように反射ミラーが製作される。これに対し、反射ミラーをウエットエッチングによって製作する場合には、マスクパターンとは異なる形状を有するように反射ミラーが製作される。その理由は、被エッチング材の複数の結晶面間に存在するエッチング速度差である。
【００１６】
したがって、本項に係る方法を実施する場合には、反射ミラーの目標形状に基づき、被エッチング材の複数の結晶面間に存在するエッチング速度差を見込んでマスクパターンが形成される。この方法においては、反射ミラーが最終的に、それの投影図形が四角形より円形に近い平面形状を有するように製作されるため、マスクパターンも、四角形より円形に近い平面形状であって、反射ミラーの目標形状とは一致しない形状を有するように形成される。
【００１７】
このように、反射ミラーをウエットエッチングによって製作する場合であっても、複数の結晶面間に存在するエッチング速度差を見込んでマスクパターンを決定すれば、反射ミラーを目標形状を有するように製作することが可能である。
【００１８】
本項に係る方法は、コーティング工程が、被エッチング材の両面にそれぞれエッチングマスクをコーティングする態様で実施したり、片面のみにコーティングする態様で実施することが可能である。前者の態様で実施する場合、マスクパターン形成工程は、被エッチング材の両面にそれぞれコーティングされた２個のエッチングマスクのそれぞれにマスクパターンを形成したり、それら２個のエッチングマスクのうちのいずれかのみにマスクパターンを形成することが可能である。要するに、本項に係る方法は、被エッチング材の両面のうちの少なくとも一方にマスクパターンが形成されるように実施すれば足りるのである。
【００１９】
（２）  前記反射ミラーは、前記反射面に平行な揺動軸線まわりに振動させられることにより、その反射面に入射した光の反射方向を変化させてその光を走査するために使用される（１）項に記載の反射ミラー製作方法。
【００２０】
この方法によれば、光を走査するために使用される反射ミラーを、四角形より円形に近い投影図形を有するように、ウエットエッチングによって製作することが可能となる。
【００２１】
（３）  前記反射ミラーは、その反射ミラーから前記揺動軸線に沿って延び、少なくともねじり振動が前記揺動軸線まわりに発生させられる板状のばねと共に振動体を構成し、その振動体のうちの少なくとも一部が振動させられることにより、前記反射面に入射した光の反射方向を変化させてその光を走査するために使用される（２）項に記載の反射ミラー製作方法。
【００２２】
（４）  前記マスクパターンの平面形状は、概して凸の八角形である（１）ないし（３）項のいずれかに記載の反射ミラー製作方法。
【００２３】
この方法によれば、概して凸の八角形を投影図形とする反射ミラーを、四角形を投影図形とする反射ミラーより慣性モーメントを低減させることが容易な反射ミラーとして製作することが可能となる。
【００２４】
（５）  前記マスクパターンの平面形状は、凸の八角形を基本形状として、その八角形における８個の角部において突出部を有する形状である（４）項に記載の反射ミラー製作方法。
【００２５】
この方法によれば、被エッチング材のウエットエッチング工程において、被エッチング材のうちマスクパターンの角部に対面する部分の侵食が、その角部が突出部を有しない場合より遅延される。この遅延が反映されるように反射ミラーが製作される。
【００２６】
本項における「突出部」は、例えば、正規の八角形における各角部から、その各角部の外角に当たる領域に向かって延びる形状を有するものとすることが可能である。
【００２７】
（６）  前記マスクパターンは、一基準線と平行な第１辺とその基準線と直交する第２辺とを有し、前記被エッチング材の（１００）結晶面上において前記第１辺および第２辺が＜１１０＞結晶方向と直交するように前記被エッチング材に対して位置決めされ、
そのマスクパターンの外形線は、そのマスクパターンの中心点において互いに直交する２本の対称中心線によって前記被エッチング材を４つの領域に分割した場合の各領域ごとに、前記被エッチング材の（１００）結晶面に相当する第１部分と、（１１１）結晶面に相当する第２部分とを有する（４）または（５）項に記載の反射ミラー製作方法。
【００２８】
本明細書においては、結晶面が（ａｂｃ）というように表記されるが、この表記が意味する結晶面は、その表記中のａ，ｂ，ｃという各数字の符号を考慮した狭義の結晶面のみならず、それと等価な結晶面をも含んでいる。すなわち、（ａｂｃ）結晶面は、該当する複数の結晶面を包含する包括的な定義に従って解釈すべきなのである。
【００２９】
そして、本項に係る方法を実施すれば、（１００）結晶面と（１１１）結晶面とが露出するｎ角形（ｎ：３以上の整数を４倍したもの）を投影図形とする反射ミラーを製作することが可能となる。
【００３０】
（７）  前記マスクパターンの外形線は、さらに、前記各領域ごとに、前記被エッチング材の（ｎ１１）結晶面（ｎ：２以上の整数）に相当する第３部分を、前記第１部分と第２部分との間に有する（６）項に記載の反射ミラー製作方法。
【００３１】
この方法によれば、反射ミラーの投影図形の外形線が（１００）結晶面および（１１１）結晶面のみで構成されると仮定した場合にその投影図形が示す八角形を、それに属する８個の角部においてそれぞれ、少なくとも１種類の別の結晶面が露出するように部分的に削り落として得られるｎ角形（ｎ：８より大きい８の倍数）を投影図形とする反射ミラーを製作することが可能となる。
【００３２】
したがって、この方法によれば、八角形より円形に近い平面形状を投影図形とする反射ミラーを製作することが可能となる。さらに、この方法によれば、反射ミラーの投影図形を、四角形より円形に近似させることが容易となるため、必要な反射面積の確保（必要な横寸法の確保）が要求される反射ミラーにおいては、反射ミラーが四角形である場合より、無駄な反射領域が省略され、その結果、反射ミラーの軽量化および慣性モーメントの低減化が容易となる。
【００３３】
反射ミラーの円形度は、上述の仮想形状である八角形の各角部において露出する結晶面が複数種類存在する場合には、１種類しか存在しない場合より改善される。例えば、その露出する結晶面が１種類しか存在しない場合には、反射ミラーの投影図形は１６角形であるが、その露出する結晶面が２種類存在する場合には、反射ミラーの投影図形は２４角形となる。露出する結晶面の種類が多いほど反射ミラーの円形度が増すという傾向は、その露出する結晶面の種類が多いほど強調され、本項に係る方法は、その露出する結晶面の種類を増加させることに適している。
【００３４】
（８）  前記マスクパターンの外形線は、さらに、前記各領域ごとに、前記被エッチング材の（５２０）結晶面に相当する第４部分を、前記第１部分と第２部分との間に有する（６）項に記載の反射ミラー製作方法。
【００３５】
この方法によれば、反射ミラーの投影図形の外形線が（１００）結晶面および（１１１）結晶面のみで構成されると仮定した場合にその投影図形が示す八角形が、それに属する８個の角部においてそれぞれ、主として（５２０）結晶面が露出するように部分的に削り落とされた形状を投影図形とする反射ミラーを製作することが可能となる。この方法によって製作され得る反射ミラーの投影図形は、１６角形に近い形状である。
【００３６】
したがって、この方法によれば、八角形より円形に近い平面形状を投影図形とする反射ミラーを製作することが可能となる。さらに、この方法によれば、八角形がそれの各角部において削り落とされる際に主として露出する結晶面が必ず１種類のみであり、その結晶面の種類の数は変動しないため、製作される反射ミラーの最終形状が安定化させられる。
【００３７】
（９）  前記エッチング液は、ＫＯＨまたはＴＭＡＨである（１）ないし（８）項のいずれかに記載の反射ミラー製作方法。
【００３８】
（１０）  前記設定濃度は、３５ｗｔ％ないし４５ｗｔ％の範囲内にある（８）項に記載の反射ミラー製作方法。
【００３９】
（１１）  前記設定温度は、６０℃ないし８０℃の範囲内にある（９）または（１０）項に記載の反射ミラー製作方法。
【００４０】
（１２）  前記マスクパターン形成工程は、前記被エッチング材の両面にそれぞれコーティングされた２個のエッチングマスク材にそれぞれ前記マスクパターンを形成する工程を含む（１）ないし（１１）項のいずれかに記載の反射ミラー製作方法。
【００４１】
前記（１）ないし（１１）項のいずれかに係る方法を実施すれば、例えば、図１４（ｂ）および（ｃ）に示すように、縦断面図において側面が傾斜面を有するように反射ミラーが製作される場合がある。
【００４２】
この場合、被エッチング材の片面のみからウエットエッチングを行うと、例えば、図１４（ｃ）に縦断面図で示すように、被エッチング材４００’の側面に連続的な傾斜面が形成される。その傾斜面は、被エッチング材４００’の厚さ方向に関する中心線に関して非対称的に形成される。
【００４３】
これに対し、被エッチング材の両面からウエットエッチングを行うと、例えば、図１４（ｂ）に縦断面図で示すように、被エッチング材４００の側面に不連続的な傾斜面が形成される。その傾斜面は、被エッチング材４００の厚さ方向に関する中心線に関して対称的に形成される。
【００４４】
したがって、それら２種類のウエットエッチングの結果を、最終的に製作される反射ミラーの重量に関して互いに比較すれば、後者の両面ウエットエッチングを実施する場合の方が、前者の片面ウエットエッチングを実施する場合より、反射ミラーの軽量化が容易となる。反射ミラーの軽量化が容易となれば、反射ミラーの慣性モーメントの低減化も容易となる。
【００４５】
以上説明した知見に基づき、本項に係る方法においては、被エッチング材の両面にそれぞれコーティングされた２個のエッチングマスク材にそれぞれマスクパターンが形成される。被エッチング材の両面にそれぞれマスクパターンが形成されるのであり、その結果、被エッチング材の両面からウエットエッチングが行われる。
【００４６】
（１３）  さらに、前記ウエットエッチングの終了後に、前記被エッチング材から前記エッチングマスク材を剥離する剥離工程を含む（１）ないし（１２）項のいずれかに記載の反射ミラー製作方法。
【００４７】
（１４）  さらに、前記被エッチング材から前記エッチングマスク材が剥離された後に、その被エッチング材の両面のうちの少なくとも片面に反射膜を形成する反射膜形成工程を含む（１３）項に記載の反射ミラー製作方法。
【発明を実施するための最良の形態】
【００５２】
以下、本発明のさらに具体的な実施の形態のいくつかを図面に基づいて詳細に説明する。
【００５３】
図１には、本発明の第１実施形態に従う反射ミラー製作方法によって製作された反射ミラー部を光走査のために備えた網膜走査型ディスプレイが系統的に表されている。この網膜走査型ディスプレイ（以下、「ＲＳＤ」と略称する。）は、レーザビームを、それの波面および強度を適宜変調しつつ、観察者の眼１０の瞳孔１２を経て網膜１４の結像面上に入射させ、その結像面上においてレーザビームを２次元的に走査することにより、その網膜１４上に画像を直接に投影する装置である。
【００５４】
このＲＳＤは、光源ユニット２０を備え、その光源ユニット２０と観察者の眼１０との間において波面変調光学系２２と走査装置２４とをそれらの順に備えている。
【００５５】
光源ユニット２０は、３原色（ＲＧＢ）を有する３つのレーザ光を１つのレーザ光に結合して任意色のレーザ光を生成するために、赤色のレーザ光を発するＲレーザ３０と、緑色のレーザ光を発するＧレーザ３２と、青色のレーザ光を発するＢレーザ３４とを備えている。各レーザ３０，３２，３４は、例えば、半導体レーザとして構成することが可能である。
【００５６】
各レーザ３０，３２，３４から出射したレーザ光は、それらを結合するために、各コリメート光学系４０，４２，４４によって平行光化された後に、波長依存性を有する各ダイクロイックミラー５０，５２，５４に入射させられ、それにより、各レーザ光が波長に関して選択的に反射・透過させられる。
【００５７】
具体的には、Ｒレーザ３０から出射した赤色レーザ光は、コリメート光学系４０によって平行光化された後に、ダイクロイックミラー５０に入射させられる。Ｇレーザ３２から出射した緑色レーザ光は、コリメート光学系４２を経てダイクロイックミラー５２に入射させられる。Ｂレーザ３４から出射した青色レーザ光は、コリメート光学系４４を経てダイクロイックミラー５４に入射させられる。
【００５８】
それら３つのダイクロイックミラー５０，５２，５４にそれぞれ入射した３原色のレーザ光は、それら３つのダイクロイックミラー５０，５２，５４を代表する１つのダイクロイックミラー５４に最終的に入射して結合され、その後、結合光学系５６によって集光される。
【００５９】
以上、光源ユニット２０のうち光学的な部分を説明したが、以下、電気的な部分を説明する。
【００６０】
光源ユニット２０は、コンピュータを主体とする信号処理回路６０を備えている。信号処理回路６０は、外部から供給された映像信号に基づき、各レーザ３０，３２，３４を駆動するための信号処理と、レーザビームの走査を行うための信号処理とを行うように設計されている。
【００６１】
各レーザ３０，３２，３４を駆動するため、信号処理回路６０は、外部から供給された映像信号に基づき、網膜１４上に投影すべき画像上の各画素ごとに、レーザ光にとって必要な色と強度とを実現するために必要な駆動信号を、各レーザドライバ７０，７２，７４を介して各レーザ３０，３２，３４に供給する。レーザビームの走査を行うための信号処理については後述する。
【００６２】
以上説明した光源ユニット２０は、結合光学系５６においてレーザビームを集光し、光ファイバ８２に入射させる。光ファイバ８２に入射したレーザビームは、光伝送媒体としての光ファイバ８２中を伝送され、その光ファイバ８２の後端から放射させられるレーザビームを平行光化するコリメート光学系８４を経て波面変調光学系２２に入射する。
【００６３】
この波面変調光学系２２は、光源ユニット２０から出射したレーザビームの波面（波面曲率）を変調する光学系である。この波面変調光学系２２は、波面曲率の変調を、網膜１４上に投影すべき画像の各画素ごとに行う形式とすることが可能であるが、これは本発明を実施するために不可欠なことではなく、画像の１フレームごとに行う形式とすることが可能である。波面曲率を変調することは、表示画像の遠近感を変化させることや、表示画像のピント位置を変化させることを意味する。
【００６４】
いずれにしても、この波面変調光学系２２においては、信号処理回路６０から入力された奥行き信号に基づき、波面変調光学系２２に入射するレーザビームの波面を変調する。この波面変調光学系２２においては、コリメート光学系８４から平行光として入射するレーザビームが収束レンズ９０によって収束光に変換され、その変換された収束光が可動ミラー９２によって反射されて拡散光に変換される。その変換された拡散光は、収束レンズ９０を通過し、目標の波面曲率を有するレーザビームとしてこの波面変調光学系２２から出射する。
【００６５】
図１に示すように、この波面変調光学系２２は、外部から入射したレーザビームを反射または透過させるビームスプリッタ９４と、そのビームスプリッタ９４を経て入射したレーザビームを収束する収束レンズ９０と、その収束レンズ９０により収束されたレーザビームを反射する可動ミラー９２とを備えている。
【００６６】
この波面変調光学系２２は、さらに、可動ミラー９２を、収束レンズ９０に接近するかまたは収束レンズ９０から離れる向きに変位させるアクチュエータ９６を備えている。このアクチュエータ９６の一例は、圧電素子である。アクチュエータ９６は、信号処理回路６０から入力された奥行き信号に応じて可動ミラー９２の位置を移動させることにより、波面変調光学系２２から出射するレーザビームの波面曲率を変調する。
【００６７】
以上のように構成された波面変調光学系２２においては、コリメート光学系８４から入射したレーザビームがビームスプリッタ９４で反射して収束レンズ９０を通過した後、可動ミラー９２で反射する。そして、再度、収束レンズ９０を通過し、その後、ビームスプリッタ９４を透過して走査装置２４へ向かう。
【００６８】
走査装置２４は、水平走査系１００と垂直走査系１０２とを備えている。
【００６９】
水平走査系１００は、表示すべき画像の１フレームごとに、レーザビームを水平な複数の走査線に沿って水平にラスタ走査する水平走査を行う光学系である。これに対し、垂直走査系１０２は、表示すべき画像の１フレームごとに、レーザビームを最初の走査線から最後の走査線に向かって垂直に走査する垂直走査を行う光学系である。水平走査系１００は、垂直走査系１０２より高速にすなわち高周波数でレーザビームを走査するように設計されている。
【００７０】
具体的に説明するに、水平走査系１００は、本実施形態においては、機械的偏向を行うミラーを備えた弾性体の振動によってそのミラーを揺動させる光スキャナ１０４を備えている。光スキャナ１０４は、信号処理回路６０から供給される水平同期信号に基づいて制御される。
【００７１】
図２には、光スキャナ１０４が分解斜視図で示されている。図２に示すように、光スキャナ１０４は、本体部１１０がベース１１２に装着されて構成されている。
【００７２】
本体部１１０は、シリコン等、弾性を有する材料を用いて形成されている。本体部１１０は、図２の上部に示すように、概略的には、光が通過し得る貫通穴１１４を有して薄板長方形状を成している。本体部１１０は、外側には固定枠１１６を備え、一方、内側には、反射面１２０が形成された反射ミラー部１２２を有する振動体１２４を備えている。
【００７３】
このような本体部１１０の構成に対応して、ベース１１２は、図２の下部に示すように、本体部１１０との装着状態において固定枠１１６が装着されるべき支持部１３０と、振動体１２４と対向する凹部１３２とを有するように構成されている。凹部１３２は、本体部１１０をベース１１２に装着した状態において、振動体１２４が振動によって変位してもベース１１２と干渉しない形状を有するために形成されている。
【００７４】
図２に示すように、反射ミラー部１２２の反射面１２０は、それの対称中心線でもある揺動軸線１３４を中心として揺動させられる。振動体１２４は、さらに、その反射ミラー部１２２からそれと同一面上に延びて、その反射ミラー部１２２を固定枠１１６に接合するはり部１４０を備えている。本実施形態においては、反射ミラー部１２２の両側から一対のはり部１４０がそれぞれ互いに逆向きに延び出している。
【００７５】
各はり部１４０は、１個のミラー側板ばね部１４２と、一対の枠側板ばね部１４４と、それらミラー側板ばね部１４２と一対の枠側板ばね部１４４とを互いに接続する接続部１４６とを含むように構成されている。ミラー側板ばね部１４２は、反射ミラー部１２２のうち、揺動軸線１３４の方向において互いに対向する一対の縁のそれぞれから、対応する接続部１４６まで、揺動軸線１３４上において、揺動軸線１３４に沿って延びている。一対の枠側板ばね部１４４は、対応する接続部１４６から、揺動軸線１３４に対して互いに逆向きにオフセットする姿勢で、揺動軸線１３４に沿って延びている。
【００７６】
各はり部１４０においては、図２に示すように、駆動源１５０，１５２，１５４，１５６が一対の枠側板ばね部１４４，１４４のそれぞれに、固定枠１１６に及ぶ姿勢で取り付けられている。
【００７７】
図３に示すように、各枠側板ばね部１４４が、固定枠１１６に近い側において局部的に薄板化され、それにより、凹部１５８が形成されている。この凹部１５８に連続する凹部１５９が固定枠１１６に形成されている。それら凹部１５８および１５９を利用することにより、各駆動源１５０，１５２，１５４，１５６が、各枠側板ばね部１４４と固定枠１１６とにそれらを跨ぐ姿勢で設置されている。
【００７８】
各駆動源１５０，１５２，１５４，１５６は、図３に駆動源１５４が代表的に示されるように、圧電体１６０（「圧電振動子」または「圧電素子」ともいう。）を主体として構成されている。圧電体１６０は、薄板状を成して振動体１２４の片面に貼り付けられており、その貼付け面と直角な方向において上部電極１６２と下部電極１６４とによって挟まれている。図３に示すように、上部電極１６２と下部電極１６４とはそれぞれ、図示しない各リード線により、固定枠１１６に設置された一対の入力端子１６８に接続されている。これに対し、上部電極１６２と下部電極１６４とがそれぞれ、図示しない各リード線により、同じく図示しない外部端子に接続される態様で本発明を実施することが可能である。
【００７９】
それら上部電極１６２と下部電極１６４とに電圧が印加されれば、その印加方向と直交する向きの変位が圧電体１６０に発生する。この変位により、図４に示すように、はり部１４０に屈曲すなわち反りが発生する。この屈曲は、はり部１４０のうち固定枠１１６との接続部を固定端とする一方、反射ミラー部１２２との接続部を自由端として行われる。その結果、その屈曲の向きが上向きであるか下向きであるかにより、自由端が上向きまたは下向きに変位する。
【００８０】
図４から明らかなように、４個の枠側板ばね１４４にそれぞれ貼り付けられた４個の駆動源１５０，１５２，１５４，１５６のうち、揺動軸線１３４に関して一側に位置して反射ミラー部１２２を挟む一対の駆動源１５０および１５２と、他側に位置して反射ミラー部１２２を挟む一対の駆動源１５４および１５６とはそれぞれ、各対に属する２個の圧電体１６０の自由端が互いに同じ向きに変位するように屈曲させられる。
【００８１】
それに対し、反射ミラー部１２２に関して一側に位置して揺動軸線１３４を挟む一対の駆動源１５０および１５４と、他側に位置して揺動軸線１３４を挟む一対の駆動源１５２および１５６とはそれぞれ、各対に属する２個の圧電体１６０の自由端が互いに逆向きに変位するように屈曲させられる。
【００８２】
その結果、反射ミラー部１２２には、図４に示すように、その反射ミラー部１２２を同じ向きに回転させる変位が、揺動軸線１３４に関して一側に位置する一対の駆動源１５０および１５２の一方向の変位と、反対側に位置する一対の駆動源１５４および１５６の逆方向の変位との双方によって発生させられる。
【００８３】
以上要するに、各枠側板ばね部１４４は、それに貼り付けられた圧電体１６０の直線変位（横変位）を屈曲運動（縦変位）に変換する機能を有し、接続部１４６は、各枠側板ばね部１４４の屈曲運動をミラー側板ばね部１４２の回転運動に変換する機能を有しているのである。そのミラー側板ばね部１４２の回転運動によって反射ミラー部１２２が回転させられる。
【００８４】
したがって、本実施形態においては、４個の駆動源１５０，１５２，１５４，１５６を制御するために、揺動軸線１３４に関して一側に位置する２個の駆動源１５０，１５２、すなわち、図２において右上の駆動源１５０と左上の駆動源１５２とが第１対を成し、反対側に位置する２個の駆動源１５４，１５６、すなわち、同図において右下の駆動源１５４と左下の駆動源１５６とが第２対を成している。
【００８５】
本実施形態においては、第１対を成す２個の駆動源１５０，１５２と、第２対を成す２個の駆動源１５４，１５６とを互いに逆向きに変位させて、反射ミラー部１２２にそれの揺動軸線１３４まわりの往復回転運動すなわち揺動運動を発生させるために、第１対を成す２個の駆動源１５０，１５２に交番電圧が互いに同位相で印加されるのに対し、それとは逆位相の交番電圧が、第２対を成す２個の駆動源１５４，１５６に互いに同位相で印加される。その結果、第１対を成す２個の駆動源１５０，１５２がいずれも、図４において下向きに撓んだ場合には、第２対を成す２個の駆動源１５４，１５６はいずれも、同図において上向きに撓むこととなる。
【００８６】
上述の制御を実現するために、水平走査系１００は、図１に示す水平走査駆動回路１８０を備えている。この水平走査駆動回路１８０においては、図５に示すように、発振器１８２が、信号処理回路６０から入力された水平同期信号に基づき、交番電圧信号を生成する。発振器１８２は、位相シフタ１８４およびアンプ１８６を経た第１経路を経て、第１対を成す２個の駆動源１５０，１５２に接続される一方、位相反転回路１８８、位相シフタ１９０およびアンプ１９２を経た第２経路を経て、第２対を成す２個の駆動源１５４，１５６に接続されている。
【００８７】
位相反転回路１８８は、発振器１８２から入力された交番電圧信号を、それの位相を反転させて位相シフタ１９０に供給する。この位相反転回路１８８は、第２経路のみに設けられるため、第１対を成す２個の駆動源１５０，１５２と、第２対を成す２個の駆動源１５４，１５６とでは、対応するアンプ１８６，１９２から供給される交番電圧信号の位相が互いに逆となる。
【００８８】
いずれの経路においても、位相シフタ１８４，１９０は、前記映像信号と反射ミラー部１２２の振動とが互いに同期するように、駆動源１５０，１５２，１５４，１５６に供給されるべき交番電圧信号の位相を変化させるために設けられている。
【００８９】
図６には、振動体１２４の具体的形状が斜視図で示されている。この振動体１２４においては、反射面１２０の法線方向に反射ミラー部１２２を投影して得られる投影図形が、概して円形を成すように、反射ミラー部１２２が製作される。この反射ミラー部１２２は前記（１）項における「反射ミラー」の一例を構成している。本実施形態においては、この反射ミラー部１２２の直径は１ｍｍ、その厚さは１００μｍであり、また、各はり部１４０の長さは２ｍｍである。この反射ミラー部１２２の製作方法は後に詳述する。
【００９０】
図７には、光ファイバ８２からの出射光がコリメート光学系８４を経てこの光スキャナ１０４に入射する様子が斜視図で示されている。コリメート光学系８４からの出射光は、概して円形を成す反射ミラー部１２２の反射面１２０に入射し、その反射ミラー部１２２が揺動軸線１３４まわりに揺動させられることにより、その反射面１２０からの反射光が水平方向に走査される。
【００９１】
図８には、光ファイバ８２からの出射光がコリメート光学系８４を経て従来の光スキャナ３００に入射する様子が斜視図で示されている。この光スキャナ３００においては、反射ミラー部３０２が四角形を成している。
【００９２】
この反射ミラー部３０２と本実施形態における反射ミラー部１２２とを、材質の比重、厚さおよび最大幅寸法に関して互いに共通すると仮定したうえで、重量に関して互いに比較すれば、本実施形態における反射ミラー部１２２の方が軽く、よって、揺動軸線１３４，３０４まわりの慣性モーメントに関して互いに比較すれば、本実施形態における反射ミラー部１２２の方が小さい。
【００９３】
したがって、本実施形態における反射ミラー部１２２も、従来の反射ミラー部３０２も、自身の共振を利用して光を走査する場合には、その共振周波数を増加させて光の走査周波数を増加させることにつき、本実施形態における反射ミラー部１２２の方が従来の反射ミラー部３０２より適している。
【００９４】
以上説明した光スキャナ１０４によって水平走査されたレーザビームは、図１に示すように、リレー光学系１９４によって垂直走査系１０２に伝送される。
【００９５】
このＲＳＤは、ビームディテクタ２００を定位置に備えている。ビームディテクタ２００は、光スキャナ１０４によって偏向されたレーザビームを検出することにより、そのレーザビームの主走査方向における位置を検出するために設けられている。ビームディテクタ２００の一例は、ホトダイオードである。
【００９６】
ビームディテクタ２００は、レーザビームが所定の位置に到達したことを示す信号をＢＤ信号として出力し、その出力されたＢＤ信号は信号処理回路６０に供給される。このビームディテクタ２００から出力されたＢＤ信号に応答し、信号処理回路６０は、ビームディテクタ２００がレーザビームを検出した時期から設定時間が経過するのを待って、必要な駆動信号を各レーザドライバ７０，７２，７４に供給する。これにより、各走査線ごとに、画像表示開始タイミングが決定され、その決定された画像表示開始タイミングで画像表示が開始される。
【００９７】
以上、水平走査系１００を説明したが、垂直走査系１０２は、図１に示すように、機械的偏向を行う揺動ミラーとしてのガルバノミラー２１０を備えている。ガルバノミラー２１０には、水平走査系１００から出射したレーザビームがリレー光学系１９４によって集光されて入射するようになっている。このガルバノミラー２１０は、それに入射したレーザビームの光軸と交差する回転軸線まわりに揺動させられる。このガルバノミラー２１０の起動タイミングおよび回転速度は、信号処理回路６０から供給される垂直同期信号に基づいて制御される。
【００９８】
以上説明した水平走査系１００と垂直走査系１０２との共同により、レーザビームが２次元的に走査され、その走査されたレーザビームによって表現される画像が、リレー光学系２１４を経て観察者の眼１０に照射される。
【００９９】
ここに、反射ミラー部１２２の製作方法を図９の工程図を参照して詳細に説明する。
【０１００】
この製作方法においては、まず、ステップＳ１において、シリコン単結晶により構成された板状の素材（シリコンウエーハ）が、１００μｍの厚さを有するように、被エッチング材４００（図１１参照）として使用するために準備される。
【０１０１】
次に、ステップＳ２において、被エッチング材４００の両面にエッチングマスク材４１０（図１１参照）がコーティングされる。エッチングマスク材４１０は例えば、被エッチング材４００を加熱することによってその被エッチング材４００の両面に形成されたシリコン酸化膜である。すなわち、このステップＳ２がコーティング工程なのである。
【０１０２】
続いて、ステップＳ３において、被エッチング材４００の両面にそれぞれコーティングされたエッチングマスク材４１０に所定のマスクパターンがリソグラフィによって形成される。各エッチングマスク材４１０に形成されたマスクパターンの形状は、被エッチング材４００が図示しないエッチング槽に浸漬された場合に、そのエッチング槽内に収容されているエッチング液が最初に接触してエッチングされる部分の形状を決める。すなわち、このステップＳ３がマスクパターン形成工程なのである。
【０１０３】
図１０には、マスクパターンの一例が平面図で示されている。
【０１０４】
ところで、本実施形態においては、被エッチング材４００において最終的に露出させられる結晶面を説明するために、その被エッチング材４００の最終形状の対称性に着目し、図１０に示すように、被エッチング材４００の表面に沿ってその表面の一中心点ＰＣ(Point of Center)まわりに４等分された４つの領域が想定されている。図１３には、それら４つの領域のうちの一つが代表的に示されている。
【０１０５】
本実施形態においては、マスクパターンが、図１０に示すように、揺動軸線１３４（これが前記（６）項における「一基準線」の一例である。）と平行な第１辺と揺動軸線１３４と直交する第２辺とを有している。このマスクパターンは、図１１に示す被エッチング材４００の（１００）結晶面上において第１辺および第２辺が＜１１０＞結晶方向と直交するように被エッチング材４００に対して位置決めされる。
【０１０６】
本実施形態においては、図１０に示すように、第１辺が、後述の複数の第２部分４２２のうち、揺動軸線１３４と平行な第２部分４２２（図１０において水平に延びる第２部分４２２）に相当し、一方、第２辺は、それら複数の第２部分４２２のうち、揺動軸線１３４と直交する第２部分４２２（図１０において垂直に延びる第２部分４２２）に相当する。このマスクパターンの形状を定義するために、便宜上、被エッチング材４００が、マスクパターンの中心点ＰＣにおいて互いに直交する２本の対称中心線（揺動軸線１３４と、中心点ＰＣにおいてその揺動軸線１３４と直交する一直線）によって４つの領域Ｉ，ＩＩ，ＩＩＩおよびＩＶに分割される。
【０１０７】
本実施形態においては、さらに、マスクパターンが、図１０に示すように、それの両側であって揺動軸線１３４の方向において互いに対向するものにおいてそれぞれ、揺動軸線１３４に沿って外向きに延び出す延出部４３１を有している。この延出部４３１は、図４に示すはり部１４０を、反射ミラー部１２２と一緒にウエットエッチングによって製作するためにマスクパターンに設けられている。
【０１０８】
ここで、図１３を参照しつつ、各領域の向きと、単結晶により構成された被エッチング材４００の複数の結晶面を定義するためにその被エッチング材４００に割り当てられるｘｙｚ座標系の向きとの関係を説明すれば、各領域の中心角（図１３の例においては、当該領域が示す四角形の４つの角のうち図１３において最上部に位置するもの）の二等分線と、ｘ軸とが互いに一致するように、各領域の向きとｘｙｚ座標系の向きとが決定されている。換言すれば、各領域における（１００）面に対する法線が、各領域の中心角の二等分線と一致するように、被エッチング材４００が４等分されているのである。
【０１０９】
図１０には、上述のｘｙｚ座標系が、被エッチング材４００と共にではなく、エッチングマスク材４１０と共に示されている。図１０においては、マスクパターンが、それの表面に沿ってその表面の一中心点ＰＣまわりに４等分され、それにより、４つの領域Ｉ，ＩＩ，ＩＩＩおよびＩＶが形成されている。各領域ごとにｘｙｚ座標系が割り当てられているが、図１０には、このことが領域Ｉについてのみ代表的に示されている。
【０１１０】
図１０に示すように、マスクパターンは、凸の八角形を成している。具体的には、マスクパターンの外形線は、各領域ごとに、被エッチング材４００の（１００）結晶面に相当する第１部分４２０と、（１１１）結晶面（狭義の（１１１）結晶面およびそれと等価な結晶面を含む。）に相当する第２部分４２２とを有する。第２部分４２２は、第１部分４２０の両側にそれぞれ存在する。
【０１１１】
以上説明した形状を有するマスクパターンは、被エッチング材４００の両面に互いにずれないように形成される。その後、図９に示すように、ステップＳ４において、被エッチング材４００とエッチングマスク材４１０との積層体が、エッチング液を収容するエッチング槽に浸漬される。本実施形態においては、エッチング液の種類が水酸化カリウム溶液（ＫＯＨ）に選定され、その濃度が４０ｗｔ％に選定され、その温度が７０℃に選定されている。この条件において、被エッチング材４００に対してウエットエッチングが行われる。すなわち、このステップＳ４がウエットエッチング工程なのである。なお、エッチング液の種類を水酸化テトラメチルアンモニウム溶液（ＴＭＡＨ）に変更することが可能であるが、この場合には、マスクパターンの形状が図１０に示すものから変更される。
【０１１２】
図１１（ａ）および（ｂ）ならびに図１２（ｃ）および（ｄ）には、被エッチング材４００がウエットエッチングされる様子が段階的に示されている。ただし、それら図には、被エッチング材４００が、それの対称性に着目し、前述の４つの領域Ｉ，ＩＩ，ＩＩＩおよびＩＶのうちのいずれかのみに関して代表的に示されている。
【０１１３】
図１１（ａ）においては、被エッチング材４００のウエットエッチングが、エッチングマスク材４１０によってコーティングされていない部分から開始される。この段階においては、被エッチング材４００に、（１００）結晶面と（１１１）結晶面のみが現れる。
【０１１４】
図１１（ａ）に示す段階からウエットエッチングが少し進行すると、同図（ｂ）に示すように、被エッチング材４００においては、最初に露出した（１００）結晶面と（１１１）結晶面との間の部分、すなわち、図１１（ａ）に示す段階においてエッチングマスク材４１０が示す八角形に属する各角部（以下、「もとの各角部」という。）に複数の別の結晶面が露出し始まり、これにより、もとの各角部が丸められる。
【０１１５】
図１１（ｂ）に示す段階からウエットエッチングが少し進行すると、図１２（ｃ）に示すように、被エッチング材４００においては、（１００）結晶面と（１１１）結晶面との間の部分に図１１（ｂ）に示す段階において露出した複数の結晶面が成長し、さらに、別の結晶面も露出し始まり、これにより、もとの各角部がさらに丸められる。
【０１１６】
図１２（ｃ）に示す段階からウエットエッチングが少し進行すると、同図（ｄ）に示すように、被エッチング材４００においては、（１００）結晶面と（１１１）結晶面との間の部分に図１２（ｃ）に示す段階において露出した複数の結晶面が成長し、さらに、別の結晶面も露出し始まり、これにより、もとの各角部がさらに丸められる。図１２（ｄ）に示す段階は、ウエットエッチングの終了段階であり、被エッチング材４００がエッチング液によって厚さ方向に貫通させられている。図１２（ｄ）には、被エッチング材４００の最終形状が、マクスパターンと共に示されている。
【０１１７】
図１３には、図１２（ｄ）に示す被エッチング材４００が拡大して示されている。被エッチング材４００のウエットエッチングが終了すると、（１００）結晶面と（１１１）結晶面との間に、（２１１）結晶面と（３１１）結晶面と（４１１）結晶面と（５１１）結晶面とを含む複数の別の結晶面が露出する。それら（２１１）結晶面と（３１１）結晶面と（４１１）結晶面と（５１１）結晶面とはそれぞれ、（１１１）結晶面と同様に、括弧内の数字列によって表される狭義の結晶面およびそれと等価な結晶面を含むように定義されている。
【０１１８】
すなわち、本実施形態においては、図１０に示すように、エッチングマスク材４１０は、第１部分４２０と第２部分４２２との間に、（ｎ１１）結晶面（ｎ：２以上の整数）に対応する第３部分４２４を有するのである。
【０１１９】
以上説明したウエットエッチングによって完成した反射ミラー部１２２は、それを法線方向に投影すれば、概して凸の八角形を成しており、正確には、ｎ角形（ｎ：１６より大きい整数）を成している。図１４（ａ）には、完成した反射ミラー部１２２の縦断面図であって、（１００）面を通過する平面で切断した場合のものが示されている。同図（ｂ）には、完成した反射ミラー部１２２の縦断面図であって、（１１１）面を通過する平面で切断した場合のものが示されている。
【０１２０】
図１４（ｃ）には、被エッチング材４００の一比較例として、被エッチング材４００’を片面のみからウエットエッチングした場合に取得される反射ミラー部１２２’が、（１１１）面を通過する平面で切断した縦断面図で示されている。同図（ｂ）に示すように、本実施形態によれば、被エッチング材４００が両面からウエットエッチングされるため、それの側面に、被エッチング材４００の厚さ方向の中心線に関して対称である不連続な傾斜面が形成されている。したがって、本実施形態によれば、上述の比較例より、軽量で慣性モーメントが小さい反射ミラー部１２２を製作することが容易である。
【０１２１】
本実施形態によれば、（１００）結晶面と（１１１）結晶面との間に露出するそれらとは別の結晶面（以下、「介在結晶面」という。）の種類の数が複数個である。したがって、本実施形態によれば、その介在結晶面の種類の数が１個である場合の反射ミラー部１２２の形状である１６角形より、反射ミラー部１２２の形状が円形化される。反射ミラー部１２２をそれの法線方向に投影して得られる投影図形の外形線を構成する直線セグメント（各結晶面に相当する。）の数が多いほど、その外形線は円に接近する傾向があるからである。
【０１２２】
さらに、本実施形態によれば、（１００）結晶面と（１１１）結晶面とがいずれも、ウエットエッチングによって侵食され、それぞれの長さ寸法が初期値より減少させられる。その減少分が、それら（１００）結晶面と（１１１）結晶面との双方に対して斜めの向きを有する別の結晶面によって置換される。
【０１２３】
したがって、本実施形態によれば、反射ミラー１１２の外周面を構成する複数の結晶面のそれぞれの長さが減少されて均等化させられ、このことによっても、反射ミラー部１２２の形状が円形化される。反射ミラー部１２２の投影図形の外形線を構成する複数の直線セグメント（各結晶面に相当する。）の数が同じである場合には、それら直線セグメントのうちの最長の直線セグメントの長さが短いほど、その外形線は円に接近する傾向があるからである。
【０１２４】
なお付言するに、図１５には、マスクパターンの別の例が示されている。この例においては、前述の例と同様に、マスクパターンの外形線が、（１００）結晶面に対応する第１部分４３０と、（１１１）結晶面に対応する第２部分４３２と、（ｎ１１）結晶面（ｎ：２以上の整数）に対応する第３部分４３４を有している。
【０１２５】
以上のようにしてウエットエッチング工程が終了すれば、図９に示すように、その後、ステップＳ５において、エッチングマスク材４１０が両面にそれぞれコーティングされた被エッチング材４００がエッチング槽から取り出される。続いて、ステップＳ６において、エッチングマスク材４１０が被エッチング材４００の両面から剥離される。その後、ステップＳ７において、被エッチング材４００の両面のうちの少なくとも一方に、アルミニウムまたは銀を材料として、反射膜が形成される。
【０１２６】
以上で、この反射ミラー製作方法の一連の実施が終了する。
【０１２７】
次に、本発明の第２実施形態を説明する。ただし、本実施形態は、第１実施形態に対し、マスクパターンの形状および反射ミラーの具体的形状が異なるのみで、他の要素については共通するため、異なる要素についてのみ詳細に説明し、共通する要素については、同一の符号または名称を使用して引用することにより、詳細な説明を省略する。
【０１２８】
図１６に示すように、本実施形態においては、第１実施形態と同様に、マスクパターンが、揺動軸線１３４（これが前記（６）項における「一基準線」の一例である。）と平行な第１辺と揺動軸線１３４と直交する第２辺とを有している。このマスクパターンは、図１７に示す被エッチング材４８０の（１００）結晶面上において第１辺および第２辺が＜１１０＞結晶方向と直交するように被エッチング材４８０に対して位置決めされる。
【０１２９】
本実施形態においては、第１辺が、後述の複数の第２部分４７２のうち、揺動軸線１３４と平行な第２部分４７２（図１６において水平に延びる第２部分４２２）に相当し、一方、第２辺は、それら複数の第２部分４７２のうち、揺動軸線１３４と直交する第２部分４７２（図１６において垂直に延びる第２部分４７２）に相当する。このマスクパターンの形状を定義するために、便宜上、被エッチング材４８０が、マスクパターンの中心点ＰＣにおいて互いに直交する２本の対称中心線（揺動軸線１３４と、中心点ＰＣにおいてその揺動軸線１３４と直交する一直線）によって４つの領域Ｉ，ＩＩ，ＩＩＩおよびＩＶに分割される。
【０１３０】
本実施形態においては、さらに、マスクパターンが、第１実施形態と同様に、図１６に示すように、それの両側であって揺動軸線１３４の方向において互いに対向するものにおいてそれぞれ、揺動軸線１３４に沿って外向きに延び出す延出部４３１を有している。
【０１３１】
本実施形態においては、第１実施形態と同様に、マスクパターンが概して凸の八角形を成しており、マスクパターンの外形線が、（１００）結晶面に対応する第１部分４７０と、（１１１）結晶面に対応する第２部分４７２とを有している。さらに、本実施形態においては、第４部分４７４が、第２部分４７２と同様に、第１部分４７０の両側にそれぞれ対称的に配置されている。
【０１３２】
以上の説明から明らかなように、本実施形態においては、マスクパターンの平面形状が、凸の八角形を基本形状として、その八角形における８個の角部において突出部として第４部分４７４を有する形状なのである。その第４部分４７４は、正規の八角形における各角部から、その各角部の外角に当たる領域に向かって延びる形状を有している。
【０１３３】
第４部分４７４は、この第４部分４７４が介在しないことによって第１部分４７０と第２部分４７２とによって本来であれば形成されるべき角部がウエットエッチングによって侵食されるタイミングを遅延させる機能を果たす。この機能により、最終的な反射ミラー部１２２の外周面の面構成が、第１実施形態より単純な面構成で済むことになる。
【０１３４】
本実施形態においては、第１実施形態と同様に、被エッチング材４８０の両面にエッチングマスク材４９０がコーティングされ、それらコーティングされた２個のエッチングマスク材４９０にそれぞれ、上述の形状を有するマスクパターンが形成される。そのようにしてマスクパターンが割り当てられた被エッチング材４８０に対してウエットエッチングが実行される。
【０１３５】
図１７（ａ）および（ｂ）ならびに図１８（ｃ）および（ｄ）には、被エッチング材４８０がウエットエッチングされる様子が段階的に示されている。図１７（ａ）においては、被エッチング材４８０のウエットエッチングが、エッチングマスク材４９０によってコーティングされていない部分から開始される。
【０１３６】
この段階においては、被エッチング材４８０に主に、（１００）結晶面と（１１１）結晶面とが現れる。さらに、被エッチング材４８０には、それら（１００）結晶面と（１１１）結晶面との間に、別の結晶面も現れる。被エッチング材４８０のうち、その別の結晶面が現れる部分は、（１００）結晶面および（１１１）結晶面から突出する突出部４９２を形成している。その突出部４９２は、マスクパターンのうちの第４部分４７４により、その周辺部より侵食が遅延された結果、形成される部分である。
【０１３７】
図１７（ａ）に示す段階からウエットエッチングが少し進行すると、同図（ｂ）に示すように、被エッチング材４８０においては、（１００）結晶面と（１１１）結晶面との間に位置する突出部４９２がウエットエッチングによって侵食され、その突出部４９２の突出量が減少する。この段階においては、その突出部４９２の先端に、（５２０）結晶面が形成し始められる。
【０１３８】
図１７（ｂ）に示す段階からウエットエッチングが少し進行すると、図１８（ｃ）に示すように、被エッチング材４８０においては、（１００）結晶面と（１１１）結晶面との間に位置する突出部４９２がウエットエッチングによってさらに侵食され、その突出部４９２の突出量がさらに減少する。この段階においては、その突出部４９２の先端に形成された（５２０）結晶面が成長する。
【０１３９】
図１８（ｃ）に示す段階からウエットエッチングが少し進行すると、同図（ｄ）に示すように、被エッチング材４８０においては、（１００）結晶面と（１１１）結晶面との間において（５２０）結晶面が成長し、この（５２０）結晶面により、（１００）結晶面と（１１１）結晶面とが斜面によって互いに接続される。図１８（ｄ）に示す段階は、ウエットエッチングの終了段階であり、被エッチング材４８０がエッチング液によって厚さ方向に貫通させられている。図１８（ｄ）には、被エッチング材４８０の最終形状が、マクスパターンと共に示されている。
【０１４０】
図１９には、図１８（ｄ）に示す被エッチング材４８０が拡大して示されている。被エッチング材４８０のウエットエッチングが終了すると、（１００）結晶面と（１１１）結晶面との間に（５２０）結晶面のみが露出し、その結果、本実施形態によれば、（１００）結晶面と（１１１）結晶面とが、第１実施形態より単純な面構成によって互いに接続される。
【０１４１】
図２０（ａ）には、完成した反射ミラー部１２２が斜視図で示され、同図（ｂ）には平面図で示されている。その反射ミラー部１２２は、それを法線方向に投影すれば、概して凸の八角形を成しており、正確には、１６角形を成しており、より正確には、１６角形に近い形状を成している。
【０１４２】
本実施形態によれば、反射ミラー部１２２の外周面が、（１００）結晶面と（１１１）結晶面との間に主として（５２０）結晶面が介在するように構成される。介在結晶面が主として１種類存在するようにウエットエッチングが実行されるのであり、その存在する介在結晶面の種類の数は変動しない。よって、本実施形態によれば、反射ミラー部１２２の外周面の形状が安定化し、その結果、その反射ミラー部１２２の慣性モーメントも安定化する。
【０１４３】
なお付言するに、図２１には、マスクパターンの別の例が示されている。この例においては、前述の例と同様に、マスクパターンの外形線が、（１００）結晶面に対応する第１部分５００と、（１１１）結晶面に対応する第２部分５０２と、第４部分５０４とを有している。
【０１４４】
以上、本発明の実施の形態のいくつかを図面に基づいて詳細に説明したが、これらは例示であり、前記［発明の開示］の欄に記載の態様を始めとして、当業者の知識に基づいて種々の変形、改良を施した他の形態で本発明を実施することが可能である。
【図面の簡単な説明】
【０１４５】
【図１】本発明の第１実施形態に従う反射ミラー製作方法によって製作された反射ミラー部を光走査のために備えた網膜走査型ディスプレイを示す系統図である。
【図２】図１における光スキャナ１０４を示す分解斜視図である。
【図３】図２における駆動源１５４およびその周辺を示す側面断面図と斜視図である。
【図４】図２における振動体１２４を示す斜視図である。
【図５】図１における水平走査駆動回路１８０を示すブロック図である。
【図６】図２における振動体１２４の具体的形状を示す斜視図である。
【図７】図２における振動体１２４のうちの円形状の反射ミラー部１２２に光が入射する様子を説明するための斜視図である。
【図８】図２における振動体１２４の比較例のうちの四角形状の反射ミラー部３０２に光が入射する様子を説明するための斜視図である。
【図９】前記反射ミラー製作方法を示す工程図である。
【図１０】図９におけるステップＳ３において形成されるマスクパターンを示す平面図である。
【図１１】図９におけるステップＳ４において実行されるウエットエッチングが進行する様子を段階的に説明するための斜視図である。
【図１２】図９におけるステップＳ４において実行されるウエットエッチングが進行する様子を段階的に説明するための別の斜視図である。
【図１３】図１２（ｄ）に示す被エッチング材４００を拡大して示す斜視図である。
【図１４】図９に示す反射ミラー製作方法によって最終的に製作された反射ミラー部１２２を示す縦断面図と、その反射ミラー部１２２の一比較例を示す縦断面図とである。
【図１５】図１０に示すマスクパターンの一変形例を示す平面図である。
【図１６】本発明の第２実施形態に従う反射ミラー製作方法によって反射ミラー部１２２を製作するために形成されるマスクパターンを示す平面図である。
【図１７】第２実施形態においてウエットエッチングが進行する様子を段階的に説明するための斜視図である。
【図１８】第２実施形態においてウエットエッチングが進行する様子を段階的に説明するための別の斜視図である。
【図１９】図１８（ｄ）に示す被エッチング材４８０を拡大して示す斜視図である。
【図２０】第２実施形態によって最終的に製作された反射ミラー部１２２を示す斜視図と平面図である。
【図２１】図１６に示すマスクパターンの一変形例を示す平面図である。
【符号の説明】
【０１４６】
１２０  反射面
１２２  反射ミラー部
１２４  振動体
４００，４８０  被エッチング材
４１０，４９０  エッチングマスク材
４２０，４３０，４７０，５００  第１部分
４２２，４３２，４７２，５０２  第２部分
４２４，４３４  第３部分
４７４，５０４  第４部分
【図１】
0004645067.tif 000002
【図２】
0004645067.tif 000003
【図３】
0004645067.tif 000004
【図４】
0004645067.tif 000005
【図５】
0004645067.tif 000006
【図６】
0004645067.tif 000007
【図７】
0004645067.tif 000008
【図８】
0004645067.tif 000009
【図９】
0004645067.tif 000010
【図１０】
0004645067.tif 000011
【図１１】
0004645067.tif 000012
【図１２】
0004645067.tif 000013
【図１３】
0004645067.tif 000014
【図１４】
0004645067.tif 000015
【図１５】
0004645067.tif 000016
【図１６】
0004645067.tif 000017
【図１７】
0004645067.tif 000018
【図１８】
0004645067.tif 000019
【図１９】
0004645067.tif 000020
【図２０】
0004645067.tif 000021
【図２１】
0004645067.tif 000022